(57)【要約】【課題】複数のコンテンツを表示する表示装置において、各コンテンツの盛り上がり度あるいは人気度の状態に応じて、マルチ画面の画面構成を変更することができるコンテンツ表示装置を提供する。【解決手段】テレビ受像器１は、放送又は配信される複数のコンテンツを表示画面上にマルチ画面表示する。テレビ受像器１は、放送又は配信される複数のコンテンツのそれぞれの盛り上がり度又は人気度を示す所定の状態を検出する判定部３３ａと、判定部３３ａによって検出された所定の状態に応じて、表示される複数のコンテンツの表示画面上の前記マルチ画面表示の画面構成を変更するスケーラ部３３ｂを有する。【選択図】図１
2007311942.tif 000002
【特許請求の範囲】
【請求項１】
放送又は配信される複数のコンテンツを表示画面上にマルチ画面表示するコンテンツ表示装置であって、
放送又は配信される前記複数のコンテンツのそれぞれの盛り上がり度又は人気度を示す所定の状態を検出する状態検出部と、
前記状態検出部によって検出された前記所定の状態に応じて、表示される前記複数のコンテンツの前記表示画面上の前記マルチ画面表示の画面構成を変更する画面構成変更部と、
を有することを特徴とするコンテンツ表示装置。
【請求項２】
前記画面構成変更部は、前記複数のコンテンツのいずれかについて検出された前記所定の状態の値が所定の閾値以上になると、前記所定の状態の値が前記所定の閾値以上のコンテンツの画面サイズを、所定のサイズに大きくすることを特徴とする請求項１記載のコンテンツ表示装置。
【請求項３】
前記画面構成変更部は、前記複数のコンテンツのいずれかについて検出された前記所定の状態の値が所定の閾値以上になると、前記所定の状態の値が前記所定の閾値以上のコンテンツの画面サイズを、その検出された値に比例して大きくすることを特徴とする請求項１記載のコンテンツ表示装置。
【請求項４】
前記盛り上がり度を示す前記所定の状態は、前記複数のコンテンツのそれぞれの音量レベルであることを特徴とする請求項１から請求項３のいずれか１つに記載のコンテンツ表示装置。
【請求項５】
前記人気度を示す前記所定の状態は、前記複数のコンテンツのそれぞれの視聴率であることを特徴とする請求項１から請求項３のいずれか１つに記載のコンテンツ表示装置。
【発明の詳細な説明】
【技術分野】
【０００１】
本発明は、コンテンツ表示装置に関し、特に、複数のコンテンツを表示するコンテンツ表示装置に関する。
【背景技術】
【０００２】
近年、デジタル放送システムによる地上波放送、BS放送、CS放送、ケーブルテレビ放送等が、実用化され普及している。従来のアナログ放送に比べ、デジタル放送では入力ソース数が多くなるため、視聴者であるユーザの選択できる番組数は増えている。そして、１台のテレビ受像機においてマルチ画面形式で複数の番組を表示出来る機能を備えたものも市販されている。
【０００３】
このような状況の中で、複数の番組の中からユーザの嗜好に合った入力ソースの視聴形態を決定する装置が提案されている（例えば、特許文献１参照）。その提案によれば、ユーザの過去の視聴パターンを履歴情報として記憶し、複数のメディアから提供される入力ソースの映像や音声を同時出力する際、その履歴情報に基づいて自動的にユーザの嗜好にあった入力ソースの視聴形態が決定される。
【０００４】
しかし、上記提案に係る装置では、過去の履歴情報に基づいて入力ソースの視聴形態を決定するものあって、放送されている番組の盛り上がり度あるいは人気度の状態が考慮されるものではない。例えば、複数の番組の中で、リアルタイムで放送される野球放送においてホームランが出たような盛り上がった状態にあるときに、その野球放送番組を観たいと思っていても、ユーザは、マルチ画面の中で画面を観てその状態を判断してからでなければ、野球放送番組を拡大表示して観ることができない。
【０００５】
すなわち、従来の装置では、ユーザが各番組の内容を観て、観たい番組をユーザ自らが選択して変更することによってマルチ画面表示の表示形態を変えなければならない。従って、上述した野球放送のように、番組に関して状態の変化があっても、直ぐにその番組を観ることはできず、ユーザ自らがそのような状態にある番組を観ながら確認して、その番組を選択するしかなかった。
【特許文献１】特開2003-174598号公報
【発明の開示】
【発明が解決しようとする課題】
【０００６】
本発明は、複数のコンテンツを表示する表示装置において、各コンテンツの盛り上がり度あるいは人気度の状態に応じて、マルチ画面の画面構成を変更することができるコンテンツ表示装置を提供することを目的とする。
【課題を解決するための手段】
【０００７】
本発明の一態様に係るコンテンツ表示装置は、放送又は配信される複数のコンテンツを表示画面上にマルチ画面表示するコンテンツ表示装置であって、放送又は配信される前記複数のコンテンツのそれぞれの盛り上がり度又は人気度を示す所定の状態を検出する状態検出部と、前記状態検出部によって検出された前記所定の状態に応じて、表示される前記複数のコンテンツの前記表示画面上の前記マルチ画面表示の画面構成を変更する画面構成変更部とを有する。
【発明の効果】
【０００８】
本発明の一態様に係るコンテンツ表示装置によれば、各コンテンツの盛り上がり度あるいは人気度の状態に応じて、マルチ画面の画面構成を変更することができる。
【発明を実施するための最良の形態】
【０００９】
以下、図面を参照して本発明の実施の形態を説明する。  
（第１の実施の形態）  
まず図１に基づき、本発明の第１の実施の形態に係わるデジタルテレビセットとしてのテレビ受像機の構成を説明する。図１は、本実施の形態に係わるテレビ受像機の構成を示す構成図である。図２は、テレビ受像機の画面表示例を示す図である。本実施の形態では、テレビ受像機１は、図２に示すように、モニタとしての液晶パネル、プラズマパネル等の１つの表示画面上に２つの画面を並べてマルチ画面表示する。
【００１０】
テレビ受像機１は、チューナ部１１と、復調／デスクランブル部１２と、放送受信部１３と、SDRAM（Synchronous DRAM）１４と、ROM（Read Only Memory）１５と、スピーカ１６と、表示装置としてのモニタ１７とを含んで構成されている。  
チューナ部１１は、ここでは、図示しないアンテナ及びケーブルを介して、衛星放送、地上波放送、ケーブルテレビ放送の３つのデジタル放送方式に対応した放送信号を受信する。チューナ部１１は、予め設定された複数の周波数の電波等の放送信号を選択的に受信し、受信した複数の放送信号を復調／デスクランブル部１２へ送信する。なお、本実施の形態では、放送されたコンテンツがアンテナで受信等されているが、コンテンツは、インターネット等の通信ラインを介して配信されるものでもよい。テレビ受像機１は、放送あるいは配信される複数のコンテンツを１つの表示画面上にマルチ画面表示するコンテンツ表示装置を構成する。
【００１１】
復調／デスクランブル部１２は、受信した複数の放送信号に対して、復調処理、エラー訂正等を行い、さらに限定受信のためのスクランブル解除処理を施して、トランスポート・ストリーム（TS）と呼ばれるデータ列の信号（以下、TS信号という）を生成し、複数の放送信号のそれぞれに対応したTS信号を放送受信部１３に出力する。
【００１２】
放送受信部１３は、入力されたTS信号から、ユーザによって選択された複数のチャンネルの音と画像に関わるそれぞれのオーディオ信号とビデオ信号を生成し、スピーカ１６とモニタ１７に出力する。放送受信部１３の構成については、後述する。
【００１３】
SDRAM１４は、受信した複数の放送信号のオーディオストリーム信号とビデオストリーム信号を記憶する記憶部である。
【００１４】
ROM１５は、ユーザによって指示された画面表示制御を行う制御プログラムを記憶する記憶部である。具体的には、ROM１５には、ユーザによって指定されたコマンドを解釈してそのコマンドに応じた各種処理を実行するための表示制御プログラムが記憶されている。
【００１５】
スピーカ１６は、入力されたオーディオ信号に基づいて音を出力し、モニタ１７は、入力されたビデオ信号に基づいて複数のコンテンツである複数の番組の映像を表示する。
【００１６】
ユーザは、操作指示手段である図示しないリモコン等を操作して、視聴したい複数の番組を選択し、視聴することができる。例えば、ユーザは、リモコン等を操作して、図２のような２画面で視聴したい２つの番組を選択することができる。
【００１７】
次に、放送受信部１３の構成について説明する。  
放送受信部１３は、例えば１チップの半導体装置であって、トランスポート・ストリーム・デマルチプレシング・プロセッサ部（以下、TSPと略す）２１と、デコード部２２と、出力インターフェース部２３と、制御用RISC（Reduced Instruction Set Computer）部（以下、CRISCと略す）２４と、制御部（以下、CPUと略す）２５とを含む。
【００１８】
デコード部２２は、オーディオデコード部３１と、ビデオデコード部３２と、表示画像生成部（以下、DGP部と略す）３３とを含む。
【００１９】
TSP２１は、例えば、MPEG2用のトランスポート・デマルチプレクサ回路であり、入力された複数のTS信号を、チャンネル毎に分割して、それぞれのビデオとオーディオのストリーム信号を再構築する。そして、TSP２１は、CRISC２４によって指定されたオーディオとビデオのストリーム信号を、それぞれSDRAM１４の所定のアドレスに書き込む。
【００２０】
TSP２１は、オーディオデコード部３１とビデオデコード部３２がそれぞれSDRAM１４にストアされたストリーム信号をデコードする際に、SDRAM１４のアドレス信号などの制御信号を、オーディオデコード部３１とビデオデコード部３２に出力する。
【００２１】
デコード部２２を構成するオーディオデコード部３１とビデオデコード部３２は、TSP２１からの制御信号によって指定されたアドレスに従って、SDRAM１４からそれぞれオーディオとビデオのMPEG2ストリーム信号を読み出して、デコードする。  
オーディオデコード部３１は、デコードして得られたオーディオ信号を出力インターフェース部２３を介して、スピーカ１６（あるいはイヤホン）へ出力する。出力インターフェース部２３は、デジタルアナログ変換器を含み、オーディオ信号をアナログのオーディオ信号に変換してスピーカ１６に出力する。また、オーディオデコード部３１は、音量レベルの情報を抽出あるいは検出する音量情報抽出部を含み、抽出した音量レベルの情報をDPG３３へ出力する。  
ビデオデコード部３２は、デコードして得られた各画面のビデオ信号をDPG３３を介して、出力インターフェース部２３からモニタ１７へ出力する。  
DPG３３は、複数の画面のそれぞれをどの程度のサイズで表示するかを決定し、モニタ１７の表示画面全体のビデオ信号を生成する処理部である。DPG３３は、判定部３３ａとスケーラ部３３ｂを含む。判定部３３ａは、デコードして得られた、各番組のオーディオ信号から、いずれかの番組の音量レベルが所定の閾値以上になったか否かを判定する処理部である。スケーラ部３３ｂは、判定部３３ａが、デコードして得られたオーディオ信号の音量レベルが所定の閾値以上になったときに、各画面のサイズを、予め設定されたあるいは指示されたサイズに変更する処理部である。判定部３３ａは、状態検出部を構成し、スケーラ部３３ｂは、画面サイズ変更部あるいは画面構成変更部を構成する。
【００２２】
CRISC２４は、CPU２５からの指示に従い、TSP２１、デコード部２２及び出力インターフェース部２３を制御する。
【００２３】
CPU２５は、ROM１５にストアされた表示制御プログラムにより、ユーザが例えばリモコン(図示せず)を操作することにより選択された、あるいは予め設定された画面構成すなわち予め設定された表示形態のマルチ画面を表示するための処理を実行するための制御を行う制御部である。
【００２４】
そして、CPU２５は、ユーザによって操作されて受信したリモコンからのコマンドに応じた所定のコマンドをCRISC２４に出力する。CRISC２４は、受信したコマンドに応じた各種制御信号を、TSP２１、デコード部２２及び出力インターフェース部２３の各回路に対して出力する。例えば、CPU２５から、２つの番組を試聴するための２つの入力ソースを指定されると、CRISC２４は、その指定された２つの入力ソースに関わるオーディオストリーム信号とビデオストリーム信号をデコードして、デコードされた信号を出力インターフェース部２３を介して出力するように、オーディオデコード部３１とビデオデコード部３２に各種制御信号を出力する。
【００２５】
また、後述するように、DPG３３は、マルチ画面の画面構成を、番組に関する所定の状態の変化に応じて変更する。本実施の形態では、DPG３３は、初期の２画面表示状態から、各番組の音、ここでは歓声に応じて大きさの異なる２つの画面表示状態に変更する制御を行う。
【００２６】
図２は、初期の２画面表示状態を示す画面表示例を示す図である。図２に示すように、モニタ１７の１つの表示画面４１中の左側と右側には、それぞれユーザが指定した番組が表示されている。例えば、左側の画面４２には４ｃｈの番組が表示され、右側の画面４３には６ｃｈの番組が表示されている。すなわち、１台のテレビ受像機１で、２つの番組が１つの表示画面４１上に２つの画面４２，４３で表示されている。
【００２７】
なお、上述したように、オーディオデコード部３１は、デコードされたオーディオ信号を出力インターフェース部２３を介して、スピーカ１６へ出力するが、複数の番組が表示されているときに、どの番組の音声を出力するのかは、テレビ受像機１における設定あるいはユーザによる選択に応じて決定される。例えば、左側に表示されている番組の音声をスピーカ１６から出力するようにユーザによって選択されているとすれば、左側の番組の音声のみがスピーカ１６から出力されており、右側の番組の音声は出力されず、ユーザには聴こえていない。ユーザの選択あるいは設定により、両方の番組の音声を出力するような設定が選択されていれば、両方の番組の音声が出力される。あるいは、CPU２５によって音声出力する番組が予め決定されていれば、その予め決定されている番組、例えば表示画面の内の左側の番組の音声が出力される。
【００２８】
ビデオデコード部２３においてデコードして得られた各番組のビデオ信号は、DPG３３で合成されてから出力インターフェース部２７へ、モニタ１７へ表示画面全体の画像のビデオ信号として出力される。その際、DPG３３から出力インターフェース部２３へ出力されるビデオ信号は、テレビ受像機１の仕様に応じて異なり、例えば、コンポジット出力、コンポーネント出力等の信号形式である。モニタ１７の表示画面には、出力インターフェース部２７からのビデオ信号に基づいて、図２のような複数の画面を含む１つの画面が表示される。
【００２９】
次に、複数の表示画面の画面構成を、番組に関する所定の状態の変化に応じて変更する処理について説明する。  
上述した図２の場合に、ユーザが４ｃｈの野球中継を左の画面４２において観ており、６ｃｈのドラマを右の画面４３において観ているとする。スピーカ１６からは右の画面４３のドラマの音が出力されているものとする。当初は、ユーザが４ｃｈと６ｃｈの番組を２画面で観ることをテレビ受像機１に指示すると、図２に示すような２つの画面が等しいサイズで並んで表示される。
【００３０】
本実施の形態では、番組の盛り上がり度を示す所定の状態を表す指標として、野球中継における観客の歓声の音量レベルを選択しているとする。番組に関する所定の状態を歓声の音量レベルとすることは、テレビ受像機１に予め設定されていてもよいし、あるいはユーザによるリモコン等の操作により選択されて設定されてもよい。予め設定される指標の情報は、ROM１５、あるいは図示しない記憶装置に記憶されている。ユーザによる設定の場合は、設定情報は、SDRAM１４等に記憶される。
【００３１】
図３を用いて、テレビ受像機１における処理を説明する。図３は、番組に関する所定の状態の変化に応じて、画面の構成を変更する処理の流れの例を示すフローチャートである。
【００３２】
ユーザによって指定された２つのチャンネル、ここでは４ｃｈと６ｃｈについて、オーディオデコード部３１は、オーディオストリーム信号を、SDRAM１４から読み出してデコードする（ステップS1）。CRISC２４は、ユーザの指定したチャンネル情報に基づくCPU２５からのコマンド信号に基づいて、オーディオデコード部３１を制御してオーディオストリーム信号をデコードする。オーディオデコード部３１は、デコードして得られたオーディオ信号を、SDRAM１４の所定の領域に書き込む。
【００３３】
そして、オーディオデコード部３１は、そのデコード結果から各チャンネルの音量を抽出し、チャンネル毎に音量データをオーディオデコード部３１内の所定のレジスタに書き込む（ステップS2）。従って、そのレジスタ内の音量データは、リアルタイムで変化するデータである。
【００３４】
一方、ビデオデコード部３２は、ユーザによって指定された２つのチャンネルのビデオストリーム信号を、SDRAM１４から読み出してデコードする（ステップS11）。ビデオデコード部３２は、デコードして得られたビデオ信号を、SDRAM１４の所定の領域に書き込む。
【００３５】
また、DPG３３は、SDRAM１４からデコードされたビデオ信号を読み出して取得する（ステップS21）。そして、判定部３３ａは、オーディオデコード部３１のレジスタから各チャンネルの音量データを読み出して取得する（ステップS22）。そして、判定部３３ａは、各チャンネルの音量データを、所定の閾値と比較し、表示画面の画面構成、すなわち各チャンネルの各画面のサイズを決定する（ステップS23）。
【００３６】
音量レベルの比較は、例えば、次のように行われる。オーディオデコード部３１は、上述したように、音量情報抽出部を含む。デコードされて得られたオーディオ信号は、PCMデータであり、音量情報抽出部は、そのPCMデータ中の振幅データを抽出し、上述したレジスタ内に書き込む。オーディオデコード部３１は、その抽出された振幅データを音量データとしてDPG３１へ出力される。よって、判定部３３ａでは、音量データと所定の閾値と比較することができる。
【００３７】
判定部３３ａにおける比較の結果、いずれかのチャンネルの音量が所定の閾値を超えた場合は、２つのチャンネルのそれぞれの画面のサイズが決定される。それぞれの画面のサイズは、スケーラ部３３ｂによって決定される。
【００３８】
一方のチャンネルの音量が所定の閾値を超えた場合、そのチャンネルの画面が拡大され、他方のチャンネルの画面が縮小される。上述の図２の画面構成でユーザが２つの番組を視聴してときに、例えば、４ｃｈの野球放送においてホームランが出て歓声の大きさが所定の閾値TH1を超えたような場合、ユーザに４ｃｈの番組において盛り上がった状況にあることを知らせるために、４ｃｈの画面が拡大して表示される。
【００３９】
図４は、モニタ１７に表示された、その盛り上がった状況になった番組があるときの表示画面例を示す図である。図４では、図２の表示状態から、一方の番組の音声、ここでは例えば歓声の音量レベルが所定の閾値TH1を超える大きさになったので、左側に表示されていた４ｃｈの野球放送の画面４２Aが拡大されて表示され、右側に表示されていたドラマ放送の画面４３Aが縮小されて表示されている。
【００４０】
音量レベルが所定の閾値TH1を超えると、拡大されて表示される画面４２Aにおける上下方向の長さａと左右方向の長さｂと、縮小されて表示される画面４２Ｂにおける上下方向の長さｃと左右方向の長さｄとが、それぞれ予め決められた長さに変更される。従って、図２の画面の状態から、図４に示すように、一方の番組（例えば左側の番組）の画面が所定のサイズに大きくなり、他方の番組（例えば右側の番組）の画面が所定のサイズに小さくなる。なお、左右の画面４２，４３について、それぞれの面積の割合あるいは各長さの割合を予め設定しておき、２つの画面についてそれらの割合に応じて変更するようにしてもよい。
【００４１】
そして、DPG３３は、SDRAM１４から読み出したビデオ信号と、その決定されたそれぞれのサイズ情報とを含む画像信号を生成し、出力インターフェース部２３に出力する（ステップS24）。例えば、DGP３３から出力インターフェース部２３へのビデオ信号の形式は、YcbCr又はRGBの信号の形式である。
【００４２】
出力インターフェース部２３は、DPG３３から受信したビデオ信号と画像信号に基づいてモニタ１７にビデオ信号を出力する（ステップS31）。その結果、図２から変化した図４のような画面が、モニタ１７の表示画面上に表示される。出力インターフェース部２３からの出力信号の形式は、例えば、HD/SDコンポーネントYPｂPr若しくはRGBの信号であって、NTSC,PAL若しくはSECAMの方式のコンポジット信号である。
【００４３】
以上のように、本実施の形態によれば、ユーザが２つの番組を２画面で観ているとき、より盛り上がっている番組が大きく表示される。そのために、オーディオデコード部３１は、オーディオストリーム信号をデコードし、そのデコードした情報から音量情報を抽出する。ビデオデコード部３２は、ビデオストリーム信号をデコードし、DPG３３は、そのデコードして得られたビデオ信号を取得する。DPG３３は、オーディオデコード部３１から抽出された各番組の音量を比較し、いずれかの番組の音量が所定の閾値以上になったときには、テレビセットの表示画面の表示可能範囲で、各画面の割合あるいは各長さを決める。DPG３３は、決定した各画面のサイズ情報と共にビデオ信号を出力インターフェース部２３へ出力し、モニタ１７の表示画面上には、画面のサイズが変更された２つの画面のマルチ画面が表示される。
【００４４】
従って、本実施の形態によれば、ユーザがそのときに観ている２つの番組において、一方の番組が注目に値するような状況、例えば番組が盛り上がっている状況にあることを音量から検出し、その音量レベルに合わせて２つの画面のそれぞれの表示サイズが変更される。特に、ここでは、各番組の盛り上がりを示す度合いとして個々の番組の音量を、指標としている。音量は、オーディオデコード部３１のデコード結果から抽出して検出し、そのデータを基にDPG３３のスケーラ部３３ｂを制御することによって、各画面サイズが動的に変更され得る。
【００４５】
よって、本実施の形態に係るテレビ受像機１によれば、ユーザは、盛り上がっている番組を自ら選択しなくても、自動的にその盛り上がっている番組が大きく表示されるので、視聴者であるユーザが、番組における盛り上がりを認識することが容易になり、スポーツ等においてそのような場面を見逃さないための一助となる。また、本実施の形態に係るテレビ受像機１によれば、音情報に基づいて番組の盛り上がりを判断し、画面のサイズが変更されるので、ユーザは、観ている番組の盛り上がり具合を視覚的に認識することが可能になる。
【００４６】
なお、上述して例では、２つの画面のうち、一方の番組の音量が所定の閾値以上になると、その番組の画面のサイズを所定のサイズの画面になるように大きく、他方の番組の画面のサイズも所定のサイズの画面になるように小さくしていたが、変化する音量レベルに応じて画面のサイズをリアルタイムで動的に変更するようにしてもよい。
【００４７】
例えば、左側の画面の長さａ、ｂは、左側の音量レベルが所定の閾値TH1を超えたときに、その音量レベルに応じた長さに変化するようにする。その場合、同時に、右側の画面の長さｃ、ｄも、左側の音量レベルが所定の閾値TH1を超えたときに、その音量レベルに応じて小さくなる。すなわち、左右の画面のそれぞれのサイズは、一方の番組の音量レベルが所定の閾値TH1を超えたら、その音量レベルに比例してその一方の番組の画面のサイズが大きくなり、他方の番組の画面のサイズが小さくなる。
【００４８】
そのために、２つの画面の各長さａ、ｂ、ｃ、ｄが音量レベルに比例した値あるいは反比例した値になり、かつモニタ１７の表示可能範囲内に２つの画面が納まるように、各長さａ、ｂ、ｃ、ｄと音量レベルの関係式を予め設定しておく。各長さａ、ｂ、ｃ、ｄが、その関係式による演算結果から決定される。あるいは、各長さａ、ｂ、ｃ、ｄを音量レベルに応じて予め決めてテーブルデータとしてメモリに記憶しておき、各長さａ、ｂ、ｃ、ｄは、音量レベルに応じて、そのメモリのテーブルデータから読み出されて決定される。
【００４９】
以下に例を示す。図５は、音量レベルと画面サイズの関係を示すグラフである。２つのチャンネルの音量のいずれも、所定の閾値TH1以下のときは、２つの画面４２，４３は同じサイズとなるように、図４の線L1で示すように、所定のサイズに対する画面４２と４３のそれぞれの倍率M1,M2は、共に１．０である。倍率M1,M2が１．０のときの表示画面では、図２に示すように、２つの画面４２と４３は同じサイズである。
【００５０】
２つのチャンネルの音量のいずれかが、所定の閾値TH1を超えると、その閾値TH1を超えた音量のチャンネルの画面、例えば図２の左側の画面（４ｃｈの野球放送の画面）は、その音量に応じて、画面サイズが変更される。具体的には、閾値TH1を超えた音量のチャンネルの画面は、音量レベルASに応じて、線L2に沿った倍率M1の大きさとなり、閾値TH1を超えていない音量のチャンネルの画面は、音量レベルASに応じて、線L3に沿った倍率M2の大きさとなる。
【００５１】
さらに、音量が所定の閾値TH2を超えると、閾値TH1を超えた音量のチャンネルの画面の倍率M1は、線L4に沿って閾値TH2のときの倍率ｋ1のサイズ以上に大きくならず、閾値TH1を超えない音量のチャンネルの画面の倍率M2も、線L5に沿って閾値TH2のときの倍率k2のサイズ以下に小さくならない。
【００５２】
なお、２つのチャンネルの音量が共に閾値TH1を超えたときは、２つのチャンネルに優先度を予め付けておき、その優先度に従って一方の画面の方を大きくし、他方の画面の方を小さくするようにしてもよい。
【００５３】
さらになお、閾値TH1を超えた音量が閾値TH1以下になると、２つの画面４２，４３のサイズは同じ大きさに戻る。
【００５４】
また、第２の閾値TH2を超えたときには、２つの画面４２，４３のそれぞれの倍率M1,M2は、一定の倍率k1,k2としているが、図５の点線L6,L7で示すように、第２の閾値TH2を超えたとき音量に比例あるいは反比例してサイズを変更するようにしてもよい。
【００５５】
なお、音量情報抽出の方法として、上述した例では、オーディオデコード部３１の音量情報抽出部は、オーディオ信号をそのまま処理していたが、PCMデータであるオーディオ信号の中で、音量の大きな信号あるいは特定の音源の信号についてのみ処理するようにしてもよい。
【００５６】
図６は、その場合の信号処理の流れの例を示し、音量の大きな信号と特定の音源の信号の両方について処理する場合を説明するための図である。図６は、特定の音源の情報について音量情報の抽出を行うか否かの設定ができる場合のフローチャートである。図６のフローチャートは、CPU２５の制御の下で各部において実行される。まず、特定の音声のみで音量判定するものとして設定されているか否かが判定される（ステップS101）。この設定は、ユーザが、リモコン等の操作器を用いて、特定の音声のみ、例えばアナウンサーの声のみ、の情報の音量で、番組における盛り上がり度を認識をするようにしたい場合に設定を行う。設定された情報は、テレビ受像機１内の記憶装置、例えばSDRAM１４に記憶されるので、その情報を読み込むことによって、特定の音声のみを、音量抽出のための音源として設定がされているか否かの判断が行われる。
【００５７】
次に、ステップS101でYESの場合、すなわち特定の音声でのみ音量レベルの判定を行う場合、PCMデータであるオーディオ信号から特定の周波数（ここでは、アナウンサーの声を抽出するための周波数）の音情報のみを抽出する（ステップS102）。特定の周波数の音情報の抽出は、例えばFFT等の方法を用いることによって行われる。そして、特定の周波数の音情報に対応する所定の閾値情報ALを音量情報抽出部に入力する（ステップS103）。音量情報抽出部は、入力された特定の周波数の音情報（PCMデータ）の中で、入力された所定の閾値ALに基づき上位ビットだけを抽出する（ステップS104）。
【００５８】
抽出された上位ビットの音情報を音量レベルの情報として、DPG３３の判定部３３ａに出力する（ステップS105）。よって、判定部３３ａは、特定の音源の信号について、上位ビットだけで音量レベルを判定できるので簡単な回路等の構成で、音量レベルを判定することができる。
【００５９】
また、ステップS101でNOの場合、すなわち特定の音声でのみ音量レベルの判定を行わない場合、所定の閾値情報AL2を音量情報抽出部に入力する（ステップS106）。音量情報抽出部は、入力された音情報の中で、入力された所定の閾値AL2に基づき上位ビットだけを抽出する（ステップS107）。
【００６０】
抽出された上位ビットの音情報を音量レベルの情報として、DPG３３の判定部３３ａに出力する（ステップS108）。
【００６１】
よって、判定部３３ａは、上位ビットだけで音量レベルを判定できるので簡単な回路等の構成で、音量レベルを判定することができる。さらに、特定の音声の音量レベルでの音量判定もできるので、ユーザの好みに合った番組の盛り上がりを検出することができる。
【００６２】
さらになお、上述した例では、オーディオデコード部３１が、音量情報抽出部を含んでいたが、音量情報抽出部は、オーディオデコード部３１とは別の回路等で実現してもよい。
【００６３】
図７は、音量情報抽出部を別の回路として実現した場合の構成を示すブロック図である。図７は、音量情報抽出部をオーディオデコード部３１とは別の回路にした点が図１と異なる。オーディオデコード部３１は、MPEG2のオーディオストリーム信号をデコードして、PCMデータのオーディオ信号に変換し、得られたそのオーディオ信号を音量情報抽出部２６に出力する。音量情報抽出部２６は、上述したようにPCMデータの中から振幅データを抽出して、DPG３３へ出力する。その後のＤＰＧ３３の判定部３３ａにおける処理は、上述した処理と同じであるので、説明は省略する。
【００６４】
さらに、音量情報抽出部を、アナログ回路で実現してもよい。図８は、音量情報抽出部２６Aが、放送受信部１３とは別の回路で実現されている場合のブロック図である。図８において、音量情報抽出部２６Aは、デジタルアナログ変換部（以下、DACという）２７と、音量判定部２８を含んで構成される。DAC２７は、オーディオ信号をデジタル信号からアナログ信号に変換し、変換されたアナログ信号が音量判定部２８で音量レベルとして検出される。音量レベルは、デジタル信号でDPG３３へ供給される。その後のDPG３３の判定部３３ａにおける処理は、上述した処理と同じであるので、説明は省略する。このように、音量レベルの検出あるいは判定をアナログ信号で行ってもよい。
【００６５】
図８の場合においてもアナログ波形のパターンマッチングにより、特定の音源（上述したようなアナウンサーの声）の抽出を行うことも可能である。
【００６６】
（第２の実施の形態）  
次に、本発明の第２の実施の形態について説明する。  
第１の実施の形態が、ユーザが観ている２つの番組の音量レベルによって、いわゆる盛り上がっている番組を判定して、画面のサイズを変更するものであったが、第２の実施の形態は、番組の所定の状態として、観ている番組の人気度を示す情報を用いて、その情報に応じて画面サイズを変更するようにした点に特徴がある。第１の実施の形態のテレビ受像機と同じ構成のものは同一の符号を付して説明は省略する。
【００６７】
図９は、第２の実施の形態に係るテレビ受像機１Aの構成を示す構成図である。図１と異なる点は、CPU２５が、ルータに接続されており、インターネットを経由して、外部から人気度を示す情報としての視聴率情報を取得するようにした点が異なる。すなわち、本実施の形態では、テレビ受像機1Aは、ネットワーク機能を有し、番組の所定の状態を示す情報として、番組の人気度を示す視聴率情報が用いられている。
【００６８】
図１０は、テレビ受像機１Aがインターネットを介して視聴率情報を有する装置である視聴率情報サーバと接続されている構成を示すシステム構成図である。テレビ受像機１Aは、インターネット５１に、ルータ５２を介して接続されている。具体的には、CPU２５がルータ５２に接続されている。インターネット５１には、記憶装置(図示せず)に視聴率情報を記憶したサーバ５３が接続されている。従って、テレビ受像機１Aは、インターネット５１を介して各番組の視聴率情報を取得することができるようになっている。
【００６９】
一般に、視聴率調査会社等が視聴率を計測しているので、その計測結果の視聴率情報が、視聴率調査会社等の管理するサーバ５３の記憶装置(図示せず)にストアされている。従って、テレビ受像機１Aは、サーバ５３に定期的に、例えば１分毎に、アクセスして視聴率情報を取得する。なお、視聴率情報は、サーバ５３からテレビ受像機１Aに定期的に配信されるようにしてもよい。
【００７０】
図１１及び図１２を用いて、テレビ受像機１Aにおける処理を説明する。図１１及び図１２は、番組に関する所定の状態の変化に応じて、画面の構成を変更する処理の流れの例を示すフローチャートである。
【００７１】
図１１は、CPU２５、オーディオデコード部３１及びビデオデコード部３２の処理を示す。図１１に示すように、視聴率情報処理部であるCPU２５は、視聴率情報を有する情報サーバ５３へアクセスして定期的に、言い換えると所定のタイミングで各番組の視聴率情報を取得する（ステップS41）。CPU２５は、取得した視聴率情報から、DPG３３が画面表示用の視聴率情報として利用できる視聴率情報を生成する（ステップS42）。CPU２５が生成する視聴率情報とは、視聴率を基にした、画面サイズ変更処理に適した数値の情報である。
【００７２】
オーディオデコード部３１は、CRISC２４から指定されたチャンネル（第１の実施の形態と同じ例であれば４ｃｈと６ｃｈ）のオーディオストリーム信号を、SDRAM１４から読み出してデコードする（ステップS1）。デコードして得られたオーディオ信号は、SDRAM１４に書き込まれる。
【００７３】
ビデオデコード部３２は、CRISC２４から指定されたチャンネルのビデオストリーム信号を、SDRAM１４から読み出してデコードする（ステップS11）。デコードして得られたビデオ信号は、SDRAM１４の所定の領域に書き込まれる。
【００７４】
図１２は、DPG３３と出力インターフェース部２３の処理を示す。DPG３３は、SDRAM１４からデコードされたビデオ信号を読み出して取得する（ステップS21）。また、DPG３３は、CPU２５から各番組の視聴率情報を取得する（ステップS51）。そして、DPG３３の判定部３３ａは、各チャンネルの視聴率情報を、所定の閾値TH3と各番組の視聴率情報とを比較し、各チャンネルに対応する各画面のサイズを決定する（ステップS52）。
【００７５】
判定部３３ａにおける比較の結果、いずれかのチャンネルの視聴率が所定の閾値TH3を超えた場合は、スケーラ部３３ｂが、２つのチャンネルのそれぞれの画面のサイズを決定する。
【００７６】
そして、DPG３３は、SDRAM１４から読み出したビデオ信号と、その決定されたそれぞれのサイズ情報とを含む画像信号を生成し、出力インターフェース部２３に出力する（ステップS24）。出力インターフェース部２３は、DPG３３から受信したビデオ信号と画像信号に基づいてモニタ１７にビデオ信号を出力する（ステップS31）。
【００７７】
よって、一方のチャンネルの視聴率が所定の閾値TH3を超えた場合、そのチャンネルの画面が拡大され、他方のチャンネルの画面が縮小される。上述の図２の視聴状態において、例えば、４ｃｈの野球放送においてホームランが出て視聴率が所定の閾値TH3を超えたような場合、ユーザに４ｃｈの番組の人気が上がった状況にあることを知らせるために、図４に示すように、４ｃｈの画面が拡大して表示される。
【００７８】
従って、図２の表示状態から、一方の番組の視聴率が所定の閾値TH3を超えたので、左側に表示されていた４ｃｈの野球放送の画面４２Aが拡大されて表示され、右側に表示されていたドラマ放送の画面４３Aが縮小されて表示されている。
【００７９】
本実施の形態における２つの画面のサイズの変更方法は、第１の実施の形態と同様である。すなわち、視聴率が所定の閾値TH3を超えると、拡大されて表示される画面４２Aにおける上下方向の長さａと左右方向の長さｂと、縮小されて表示される画面４２Ｂにおける上下方向の長さｃと左右方向の長さｄとが、それぞれ予め決められた長さに変更される。あるいは、図５で示したように、視聴率（図５では横軸は音量であるが）が所定の閾値TH3を超えると、２つの画面のサイズは、視聴率に比例してその一方の番組の画面のサイズがリアルタイムで大きくなり、視聴率に反比例して他方の番組の画面のサイズもリアルタイムで小さくなるようにしてもよい。
【００８０】
以上のように、本実施の形態によれば、ユーザが２つの番組を２画面で観ているとき、視聴率が所定の値より高い番組が大きく表示されるので、結果として、より人気のある番組が大きく表示される。
【００８１】
従って、本実施の形態によれば、ユーザがそのときに観ている２つの番組において、一方の番組が注目に値するような状況、例えば番組の人気が上がっている状況にあることを視聴率情報から検出し、その視聴率に応じて２つの画面のそれぞれの表示サイズが変更される。
【００８２】
よって、本実施の形態に係るテレビ受像機１によれば、ユーザは、人気度の高い番組を自ら選択しなくても、自動的にその人気度の高い番組が大きく表示されるので、視聴者であるユーザが、人気度の高い番組を認識することが容易になり、スポーツ等においてそのような人気のある場面を見逃さないための一助となる。また、本実施の形態に係るテレビ受像機１によれば、音情報に基づいて番組の人気度を判断し、画面のサイズが変更されるので、ユーザは、観ている番組の人気度を視覚的に認識することが可能になる。
【００８３】
特に、上述したテレビ受像機１Aは、番組の視聴率と連動して画面表示サイズを変更する。この場合、視聴率をリアルタイムで提供するサービスを利用することによって、そのサービスがインターネットや電話回線などのネットワーク経由で提供される。視聴率はリアルタイムにネットワーク経由で取得し、そのデータを基にDPG３３のスケーラ部３３ｂが制御されて、画面サイズが動的に変更される。従って、ユーザは、現在の視聴率を視覚的に認識することが容易となる。
【００８４】
なお、以上の例では、番組の人気度を示す情報として、視聴率が用いられているが、人気度を示す情報としては、視聴率以外の情報でもよい。例えば、デジタル放送の視聴者参加型番組、例えばクイズ番組、電話投票等の番組において得られた回答情報、アンケート情報等の視聴者の動向、意向などの情報をリアルタイムで取得できるシステムを利用して、番組の人気度の情報として利用してもよい。
【００８５】
（第３の実施の形態）  
次に、本発明の第３の実施の形態について説明する。  
第２の実施の形態が、ユーザが観ている２つの番組について人気度の情報によって、いわゆる人気の高い番組を判定して、画面のサイズを変更するものであったが、第３の実施の形態は、３以上の入力ソースの各番組の人気度の情報に応じて表示画面中に表示される番組を変更し、かつ各番組の人気度の情報に応じて画面サイズを変更するようにした点に特徴がある。第２の実施の形態のテレビ受像機と同じ構成のものは同一の符号を付して説明は省略する。
【００８６】
本実施の形態では、入力ソースとしての番組数は１０以上で、モニタ１７の表示画面上にマルチ画面として表示される画面数は２つであり、その２つの画面として表示する画面をどれにするかを人気度の情報に基づいて決定し、さらに表示されている２つの画面サイズを人気度の情報に基づいて変更するようにしたものである。  
すなわち、テレビ受像器1Aが受信できる全ての番組（あるいはユーザによって指定された番組）の中から、所定の指標としての各番組の視聴率情報に従って視聴率の高い順に順位付けし、順位付けされた番組の中から上位2本の番組が、図２のように表示される。
【００８７】
リアルタイムで視聴率は変化するので、その変化に応じて、各番組の順位が変更される。そのリアルタイムで変わる順位に従って、図２のように表示される上位２つの番組は変更される。そして、さらに、上位２つの番組のいずれかの視聴率が所定の閾値を超えると、その視聴率に応じて、２つの画面のサイズを変更する。２つの画面のサイズの変更方法は、第２の実施の形態の方法と同様である。
【００８８】
図１３を用いて、テレビ受像機１Aにおける処理を説明する。図１３は、番組に関する所定の状態の変化に応じて、画面の構成を変更する処理の流れの例を示すフローチャートである。
【００８９】
図１３は、CPU２５、オーディオデコード部３１及びビデオデコード部３２の処理を示す。図１３に示すように、視聴率情報処理部であるCPU２５は、視聴率情報を有する情報サーバ５３へアクセスして定期的に、言い換えると所定のタイミングで各番組、ここでは、テレビ受像器1Aが受信できる全ての番組の視聴率情報を取得する（ステップS43）。CPU２５は、モニタ１７の表示画面に表示している画面数、すなわち表示する対象画面数の情報を取得する（ステップS44）。この画面数の情報は、CPU２５の内部のレジスタに格納されていれば、そのレジスタから読み出し、ROM１５等のメモリにストアされていれば、そのメモリから読み出すことによって取得される。
【００９０】
CPU２５は、視聴率の上位から対象画面数分の番組を選択する（ステップS45）。例えば、テレビ受像機１Aが、２０個の入力ソースを受信可能で、表示している画面数が２であれば、２０個の番組の中の視聴率が最も高い番組とその次に高い番組の２つが選択される。
【００９１】
そして、CPU２５は、現在モニタ１７の表示画面上に表示している番組と、そのステップS46で選択された番組とが異なるか否かを判断する（ステップS46）。現在モニタ１７の表示画面上に表示している番組とその選択された番組とが異ならないと判断されると、ステップS46でNOとなり、CPU２５は、取得した視聴率情報から、視聴率が上位の番組について、DPG３３が画面表示用の視聴率情報として利用できる視聴率情報を生成する（ステップS47）。
【００９２】
現在モニタ１７の表示画面上に表示している番組とその選択された番組とが異なると判断されると、ステップS46でYESとなり、オーディオデコード部３１は、デコードするチャンネルを変更する（ステップS3）。オーディオデコード部３１は、変更されて指定されたチャンネルのオーディオストリーム信号を、SDRAM１４から読み出してデコードする（ステップS4）。デコードされたオーディオ信号は、SDRAM１４に書き込まれる。
【００９３】
また、現在モニタ１７の表示画面上に表示している番組とその選択された番組とが異なると判断されると、ステップS46でYESとなり、ビデオデコード部３２は、デコードするチャンネルを変更する（ステップS12）。ビデオデコード部３２は、変更されて指定されたチャンネルのビデオストリーム信号を、SDRAM１４から読み出してデコードする（ステップS13）。デコードされたビデオ信号は、SDRAM１４の所定の領域に書き込まれる。
【００９４】
ステップS47の後は、図１２のステップS51の処理へ続く。ステップS13の後は、図１２のステップS21の処理へ続く。
【００９５】
従って、モニタ１７の画面上には、視聴率が上位の番組が表示され、かつ、その上位の番組も、より視聴率の高い方が大きいサイズで表示される。上述した例であれば、２０個の受信チャンネルの中から、視聴率が高い上位２つの番組が図２に示すように表示され、かつそのいずれかの視聴率が所定の閾値以上になると、図４に示すように、視聴率の高い番組がより大きいサイズで表示される。
【００９６】
以上の例は、モニタ１７の表示画面に表示されている画面数が２の場合であるが、その画面数が例えば、図１４に示すように、３以上、例えば１０画面であってもよい。図１４は、表示画面の例を示す図である。図１４は、左側の画面４２Bには視聴率の最も高い番組が表示され、視聴率の高さが２番目以下の９個の画面４３Bから４３Jに表示される。
【００９７】
図１４のような表示構成は、図１２と図１３と同様な処理により実現することができる。例えば、図１３のステップS44において対象画面数が１０であり、その結果、選択される上位の１０個の番組について、チャンネルの変更が必要であれば、チェンネルの変更が行われる。そして、視聴率が上位１０個の番組がモニタ１７の表示画面上に表示される。
【００９８】
なお、図１４の場合に、左側の最も視聴率の高い番組に対して、右側には次に視聴率が高い９個の番組が表示されるが、左側の画面４２Bの大きさをその最も視聴率の高い番組の視聴率が所定の閾値以上になるとその視聴率に応じて変化させ、同時に右側の９個の全体の画面（画面４３Bから４３Jを合わせた画面）の大きさもその視聴率に応じて（画面４２Bの大きさに反比例して）変化させるようにしてもよい。
【００９９】
以上のように、本実施の形態によれば、ユーザが複数の番組をマルチ画面で観ているとき、視聴率が最も高い番組が大きく表示されるので、結果として、最も人気の高い番組が大きく表示される。
【０１００】
従って、本実施の形態によれば、ユーザがそのときに観ている３以上の番組において、最も人気のある番組が最も大きくなるように、視聴率に応じて複数の画面の構成が変更される。
【０１０１】
よって、本実施の形態に係るテレビ受像機１Aによれば、ユーザは、人気の高い番組を自ら選択しなくても、自動的にその人気の高い番組が大きく表示されるので、視聴者であるユーザが、番組の人気度を認識することが容易になり、スポーツ等においてそのような場面を見逃さないための一助となる。また、上述した他の実施の形態と同様に、ユーザは、観ている番組の人気度を視覚的に認識することが可能になる。
【０１０２】
（第４の実施の形態）  
次に、本発明の第４の実施の形態について説明する。  
上述した３つの実施の形態のテレビ受像機は、番組の所定の状態に応じて、画面のサイズが変化する、あるいは表示される番組が変更されるように構成されていた。第４の実施の形態のテレビ受像機は、ユーザが指定あるいは設定した番組については、表示画面上の位置とサイズの変更がされないようにし、そのユーザが指定等した番組以外の複数の番組については、番組の所定の状態に応じて画面のサイズが変更されるように構成されている点に特徴がある。
【０１０３】
本実施の形態に係わるテレビ受像機は、図１又は図９に示す構成のテレビ受像機と同様の構成である。そして、画面の表示例は、図２に示すような２画面、あるいは図１４に示すような３以上の画面が可能である。図２の画面例の場合は、例えば、ユーザが左側の画面のサイズを固定して表示するようにリモコン等で指示あるいは設定すると、固定表示領域の画面としての左側の画面の表示サイズは変更されないが、右側の画面の表示サイズは、音量レベルに応じて変更される。上述した例であれば、左側の野球放送の音量が所定の閾値以上になると右側の画面のサイズは小さくなる。また、右側の番組の音量が所定の閾値以上になっても左側の画面のサイズを小さくしたり、右側の画面が左側の画面に重なって左側の画面を被うような大きさにはならない。
【０１０４】
図１４の画面例の場合は、例えば、ユーザが左側の画面のサイズを固定して表示するようにリモコン等で指示あるいは設定すると、その設定等の情報は、CPU２５等の記憶装置に記憶される。その結果、固定表示領域である左側の画面の表示サイズは変更されないが、右側の画面の表示サイズは、視聴率に応じて変更される。上述した例であれば、左側の野球放送の視聴率が所定の閾値以上になると右側の画面のサイズは小さくなる。また、右側の番組の視聴率が所定の閾値以上になっても左側の画面のサイズを小さくしたり、右側の９つの画面が左側の画面に重なって、左側の画面を被うような大きさにはならない。
【０１０５】
図１５及び図１６は、本実施の形態における画面の表示例を示す図である。図１５は、１０画面において、左側の画面４４は、ユーザにより指定等された番組であり、サイズは常に変わらないが、右側の２つの画面４５Aから４５Iを合わせた画面のサイズは、１０個の内のいずれかの番組の音量レベルに応じて、あるいは最も視聴率の高い番組の視聴率に応じて大きさが変化する例を示す。
【０１０６】
図１６は、３画面において、左側の画面４４は、ユーザにより指定等された番組であり、サイズは常に変わらないが、右側の２つの画面４６Aと４６Bの各サイズは、各番組の人気度を示す視聴率に応じて大きさが変化する例を示す。
【０１０７】
図１７は、本実施の形態におけるDPGと出力インターフェース部における処理の流れの例を示すフローチャートである。図１７は、視聴率に基づいてユーザの指定等のない番組についての画面サイズを変化させる場合の処理の流れの例を示す。CPU２５、オーディオデコード部３１及びビデオデコード部３２の処理は、第３の実施の形態における図１３と同様の処理である。
【０１０８】
図１３の処理の結果、処理は、図１７の処理に移行する。DPG３３は、SDRAM１４からデコードされたビデオ信号を読み出して取得する（ステップS21）。
【０１０９】
DPG３３は、CPU２５から各番組の視聴率情報を取得する（ステップS51）。そして、DPG３３は、モニタ１７の表示画面に複数の番組を表示するための各画面の配置と大きさに関する情報である画面構成情報が設定されているかをチェックする（ステップS61）。画面構成情報は、ユーザが入力ソースの１つである任意の放送局の番組を固定表示したい場合に、その固定表示する番組のチャンネルと画面の位置の情報を含む固定表示情報である。なお、画面の位置については、テレビ受像機において予め設定されている場合は、画面構成情報は、固定表示する番組のチャンネルの情報のみを含む。
【０１１０】
画面構成情報が設定されている場合は、ステップS61でYESとなり、画面構成情報を取得し、その情報に基づいて画面配置を決定する（ステップS62）。具体的には、図１５及び図１６において説明した固定表示するチャンネルの画面と、固定表示するチャンネル以外の画面の配置とが決定される。
【０１１１】
そして、各番組の視聴率情報を比較して、固定表示するチャンネル以外のチャンネルの番組の画面の表示サイズを決定する（ステップS52）。すなわち、固定表示するチャンネル以外のチャンネルの番組について、DPG３３の判定部３３ａは、各チャンネルの視聴率情報を、所定の閾値TH3と各番組の視聴率情報とを比較し、各チャンネルに対応する各画面のサイズを決定する。
【０１１２】
DPG３３は、SDRAM１４から読み出したビデオ信号と、その決定されたそれぞれのサイズ情報とを含む出力信号を生成し、出力インターフェース部２３に出力する（ステップS24）。出力インターフェース部２３は、DPG３３から受信したビデオ信号と画像信号に基づいてモニタ１７にビデオ信号を出力する（ステップS31）。
【０１１３】
判定部３３ａにおける比較の結果、いずれかのチャンネルの視聴率が所定の閾値TH2を超えた場合は、スケーラ部３３ｂが、図１５あるいは図１６の右側の各画面のサイズを決定する。例えば、図１５の右側の画面４５Aから４５Iの画面の表示サイズが決定される。いずれのチャンネルの視聴率も所定の閾値TH3を超えていない場合は、表示画面は、図１４のような表示状態のままである。  
また、画面構成情報が設定されていなければ、ステップS61でNOとなり、処理は、ステップS52へ進む。
【０１１４】
以上のように、本実施の形態によれば、ユーザが指定等した固定表示するチャンネルの画面があるときは、その指定等されたチャンネルの画面のサイズは変更されず、その指定等されたチャンネル以外のチャンネルの画面のサイズは、所定の状態に応じて変化する。
【０１１５】
なお、図１７では視聴率によって画面のサイズが変更される例であるが、ユーザによって指定等されたチャンネル以外のチャンネルの画面のサイズは、パラメータとしての視聴率に応じて変更するか、パラメータとしての音量レベルに応じて変更するかを、設定手段としてのリモコン等の操作部への操作に応じて選択できるようにしてもよい。
【０１１６】
よって、本実施の形態に係るテレビ受像機によれば、上述した３つの実施の形態の効果に加えて、ユーザは、ユーザが指定等した固定表示するチャンネルの画面のサイズは変更されないので、しっかりと視聴できる。さらに、所定の状態の変化に応じて、画面構成が変化するので、固定表示されている番組以外の番組を、大きな画面サイズで観るようにユーザが促されるようになるという効果もある。
【０１１７】
なお、上述した４つの実施の形態では、DPGが、複数の画面の大きさを変更して、最終的にモニタに表示される１つの画面を生成していたが、その１つの画面は出力インターフェース部２３で生成するようにしてもよい。
【０１１８】
さらになお、以上の各実施の形態では、放送受信部はデジタルテレビセットの一部として説明したが、放送受信部はテレビ用のセットトップボックスなどの一部でもよい。
【０１１９】
また、入力されるコンテンツの所定の状態の閾値は、リモコン等の操作部を操作することにより、設定、及び変更できるようにしてもよい。そのようにすれば、各入力ソースの音質等の違い、人気度情報の集計方法の違い等に応じて、画面構成が変化する条件、例えば画面サイズの変更条件、画面の切り替え条件等を設定、あるいは変更できるので、ユーザの希望する状態の変化に応じて、マルチ画面の画面構成の変更が可能となる。
【０１２０】
さらにまた、番組の所定の状態が所定の閾値以上になったときに、画面のサイズを変更するのではなく、その番組の画面に他の画面と区別できるような枠を付加する、その番組の画面に他の画面と区別できるように枠の色を変更する、その番組の画面に他の画面と区別できるように輝度を変更する、その番組の画面に他の画面と区別できるような枠を点滅（輝度の変化をさせるような場合も含む）する、その番組の画面に他の画面と区別できるような所定のマークをスーパーインポーズする、その番組の画面に他の画面と区別できるような所定のパラメータをスーパーインポーズする、等々の方法でもよい。
【０１２１】
画面に枠を付加する場合は、音量が大きい方に枠を付けるようにすることが好ましい。また、その枠の形状はどのようなものでもよく、画面を囲うようなものであればよい。画面の枠の色を変更する場合は、色は、パラメータ（音量、視聴率等）に応じて変更することが好ましい。画面にマークをスーパーインポーズする場合は、そのマークをパラメータ毎に変えてもよい。
【０１２２】
本発明は、上述した実施の形態に限定されるものではなく、本発明の要旨を変えない範囲において、種々の変更、改変等が可能である。
【図面の簡単な説明】
【０１２３】
【図１】本発明の第１の実施の形態に係わるテレビ受像機の構成を示す構成図である。
【図２】第１の実施の形態に係わるテレビ受像機の画面表示例を示す図である。
【図３】第１の実施の形態に係わる画面の構成を変更する処理の流れの例を示すフローチャートである。
【図４】モニタに表示された、盛り上がった状況になった番組があるときの表示画面例を示す図である。
【図５】音量レベルと画面サイズの関係を示すグラフである。
【図６】特定の音源の情報について音量情報の抽出を行うか否かの設定ができる場合のフローチャートである。
【図７】音量情報抽出部を別の回路として実現した場合の構成を示すブロック図である。
【図８】音量情報抽出部が、放送受信部とは別の回路で実現されている場合のブロック図である。
【図９】第２の実施の形態に係るテレビ受像機の構成を示す構成図である。
【図１０】テレビ受像機がインターネットを介して視聴率情報サーバと接続されている構成を示すシステム構成図である。
【図１１】第２の実施の形態に係る、CPU、オーディオデコード部及びビデオデコード部の処理を示すフローチャートである。
【図１２】第２の実施の形態に係る、DPGと出力インターフェース部の処理を示すフローチャートである。
【図１３】第３の実施の形態に係る、番組に関する所定の状態の変化に応じて、画面の構成を変更する処理の流れの例を示すフローチャートである。
【図１４】第３の実施の形態に係る、表示画面の例を示す図である。
【図１５】第４の実施の形態に係る、本実施の形態における画面の表示例を示す図である。
【図１６】第４の実施の形態に係る、本実施の形態における画面の表示例を示す図である。
【図１７】第４の実施の形態に係る、DPGと出力インターフェース部における処理の流れの例を示すフローチャートである。
【符号の説明】
【０１２４】
１、１A  テレビ受像機、１３  放送受信部、２２  デコード部、４１  表示画面、５１  インターネット、５２  ルータ、５３  サーバ
【図１】
2007311942.tif 000003
【図２】
2007311942.tif 000004
【図３】
2007311942.tif 000005
【図４】
2007311942.tif 000006
【図５】
2007311942.tif 000007
【図６】
2007311942.tif 000008
【図７】
2007311942.tif 000009
【図８】
2007311942.tif 000010
【図９】
2007311942.tif 000011
【図１０】
2007311942.tif 000012
【図１１】
2007311942.tif 000013
【図１２】
2007311942.tif 000014
【図１３】
2007311942.tif 000015
【図１４】
2007311942.tif 000016
【図１５】
2007311942.tif 000017
【図１６】
2007311942.tif 000018
【図１７】
2007311942.tif 000019